(57)【要約】【課題】スイッチピンが引き抜き不能な携帯用防犯ブザーにおいて、外装ケースの破損を抑えることを目的とする。【解決手段】携帯用防犯ブザー１は、スイッチ穴Ｃ４を有する外装ケースＣと、スイッチ穴Ｃ４に入り込み、軸方向に押し引きされることで警報音の発生または停止の切り替えを行うスイッチピン２０を備える。外装ケースＣは、第１ケース１００と、当該第１ケース１００に複数の第１ネジＳ１によって固定される第２ケース２００と、第１ネジＳ１が捩じ込まれる第１ボス１１１を有する。スイッチピン２０は、スイッチ穴Ｃ４に入り込むピン部２１と、当該ピン部２１の外装ケースＣ外に配置される一端部に設けられるヘッド部２２と、ピン部２１の外装ケースＣ内に配置される部分に設けられるフランジ部２３を有する。第１ボス１１１は、フランジ部２３とスイッチ穴Ｃ４との間に配置され、軸方向から見てフランジ部２３に重なっている。【選択図】図５
2018073086.tif 000002
【特許請求の範囲】
【請求項１】
警報音を発する携帯用防犯ブザーであって、
スイッチ穴を有する外装ケースと、
前記スイッチ穴に入り込み、軸方向に押し引きされることで前記警報音の発生または停止の切り替えを行うスイッチピンと、を備え、
前記外装ケースは、第１ケースと、当該第１ケースに複数の第１ネジによって固定される第２ケースと、前記第１ネジが捩じ込まれる第１ボスと、を有し、
前記スイッチピンは、前記スイッチ穴に入り込むピン部と、当該ピン部の前記外装ケース外に配置される一端部に設けられるヘッド部と、前記ピン部の前記外装ケース内に配置される部分に設けられるフランジ部と、を有し、
前記第１ボスは、前記フランジ部と前記スイッチ穴との間に配置され、前記軸方向から見て前記フランジ部に重なっていることを特徴とする携帯用防犯ブザー。
【請求項２】
前記外装ケースは、前記第１ネジが捩じ込まれる第２ボスを備え、
前記第２ボスは、前記ピン部を挟んで前記第１ボスとは反対側に配置され、前記軸方向から見て前記フランジ部に重なっていることを特徴とする請求項１に記載の携帯用防犯ブザー。
【請求項３】
前記第１ケースには、前記スイッチピンを進退可能に支持するスイッチ部材が設けられ、
前記第２ケースは、前記第１ケースに向けて突出する規制リブを有し、
前記規制リブは、前記スイッチ部材の前記スイッチ穴とは反対側の端部に対して前記軸方向に対向していることを特徴とする請求項１または請求項２に記載の携帯用防犯ブザー。
【請求項４】
前記外装ケースは、外部に向けて開口する電池収容凹部と、当該電池収容凹部を開閉する電池カバーと、を備え、
前記電池カバーは、前記電池収容凹部の開口を塞ぐベース部と、断面視Ｕ形状に形成されるバンドホルダと、を有し、
前記バンドホルダは、前記ベース部の外面に沿った所定方向に延びる第１延出部と、当該第１延出部の各端部と前記ベース部とを繋ぐ２つの第２延出部と、を有し、
前記第２延出部は、前記ベース部に近づくにつれて前記所定方向の大きさが大きくなっていることを特徴とする請求項１から請求項３のいずれか１項に記載の携帯用防犯ブザー。
【請求項５】
前記電池カバーは、前記ベース部の外周縁から外側に突出する複数の突出片を有し、
前記複数の突出片は、第２ネジによって前記第１ケースまたは前記第２ケースに締結されていることを特徴とする請求項４に記載の携帯用防犯ブザー。
【請求項６】
前記第２延出部の前記所定方向の一方側の第１端縁は、前記所定方向において、前記電池カバーの前記所定方向の一方側の第２端縁と、当該第２端縁に最も近い第２ネジとの間に配置され、
前記所定方向において、前記第２端縁に最も近い第２ネジから前記第１端縁までの長さは、前記第２端縁に最も近い第２ネジから前記第２端縁までの長さの半分以上であることを特徴とする請求項５に記載の携帯用防犯ブザー。
【請求項７】
前記電池収容凹部を囲うように形成されるとともに、前記電池カバーによって覆われる溝と、当該溝内に入るシールとを備え、
前記シールの高さは幅よりも大きく、高さと幅の比が、１．２〜１．７となっていることを特徴とする請求項４から請求項６のいずれか１項に記載の携帯用防犯ブザー。
【請求項８】
前記シールの高さは、前記溝の深さよりも大きいことを特徴とする請求項７に記載の携帯用防犯ブザー。
【請求項９】
前記シールの幅は、前記溝の幅の６０〜８０％であることを特徴とする請求項７または請求項８に記載の携帯用防犯ブザー。
【請求項１０】
前記外装ケースおよび前記電池収容凹部は、前記軸方向の長さが、前記軸方向に直交する直交方向の長さよりも大きいことを特徴とする請求項４から請求項９のいずれか１項に記載の携帯用防犯ブザー。
【請求項１１】
前記警報音を発するスピーカを備え、
前記第１ケースおよび前記第２ケースの一方に前記スピーカが設けられ、他方に前記電池収容凹部が設けられていることを特徴とする請求項１０に記載の携帯用防犯ブザー。
【請求項１２】
前記外装ケースは、前記スピーカを保持する円筒状の保持リブと、当該保持リブの外周面から放射状に延びる複数の補強リブと、を有することを特徴とする請求項１１に記載の携帯用防犯ブザー。
【請求項１３】
前記外装ケースは、外表面のうち前記軸方向の一端側に位置する曲面と、当該曲面から前記軸方向の一端側に突出する中空の突出部と、を有し、
前記突出部は、先端に前記スイッチ穴を有し、
前記突出部の先端は、前記外装ケースの前記軸方向の一端に対して前記軸方向に直交する直交方向にずれた位置に配置され、前記外装ケースの前記一端よりも前記軸方向内側に位置することを特徴とする請求項１から請求項１２のいずれか１項に記載の携帯用防犯ブザー。
【発明の詳細な説明】
【技術分野】
【０００１】
本発明は、携帯用防犯ブザーに関する。
【背景技術】
【０００２】
一般に、携帯用防犯ブザーとしては、本体にスイッチピンを差し込んでおく構造にしておき、そのスイッチピンを本体から引っ張ることで、警報のスイッチを入れるものがある。このスイッチピンを引っ張ってスイッチを入れる携帯用防犯ブザーの中には、スイッチピンを引っ張っても本体から少し抜けるだけで本体にスイッチピンが結合したままのタイプがある（特許文献１参照）。
【先行技術文献】
【特許文献】
【０００３】
【特許文献１】特開２００８−１３９９３９号公報
【発明の概要】
【発明が解決しようとする課題】
【０００４】
ところで、本体にスイッチピンが結合したままのタイプでは、スイッチピンの抜け止めを行う構成として、例えば、スイッチピンの外周面に当該外周面から突出するフランジ部を設け、スイッチピンを引っ張った際に、フランジ部が、スイッチピンが通る外装ケースの孔の周囲に係合してスイッチピンの移動を規制する構成が考えられる。しかしながら、例えば、不審者に遭遇して慌てたユーザが必要以上に強くスイッチピンを引っ張ってしまった場合には、フランジ部が外装ケースに強く当接して外装ケースが破損してしまうおそれがあった。
【０００５】
そこで、本発明は、スイッチピンが引き抜き不能な携帯用防犯ブザーにおいて、外装ケースの破損を抑えることを目的とする。
【課題を解決するための手段】
【０００６】
前記課題を解決するため、本発明に係る携帯用防犯ブザーは、警報音を発する携帯用防犯ブザーであって、スイッチ穴を有する外装ケースと、前記スイッチ穴に入り込み、軸方向に押し引きされることで前記警報音の発生または停止の切り替えを行うスイッチピンと、を備える。
前記外装ケースは、第１ケースと、当該第１ケースに複数の第１ネジによって固定される第２ケースと、前記第１ネジが捩じ込まれる第１ボスと、を有する。
前記スイッチピンは、前記スイッチ穴に入り込むピン部と、当該ピン部の前記外装ケース外に配置される一端部に設けられるヘッド部と、前記ピン部の前記外装ケース内に配置される部分に設けられるフランジ部と、を有する。
前記第１ボスは、前記フランジ部と前記スイッチ穴との間に配置され、前記軸方向から見て前記フランジ部に重なっている。
【０００７】
この構成によれば、スイッチピンを引いたときに、スイッチピンのフランジ部が、第１ネジの捩じ込みによって剛性が高められた第１ボスに係合するので、ユーザがスイッチピンを強く引っ張ったとしても外装ケースの破損を抑えることができる。
【０００８】
また、前記外装ケースは、前記第１ネジが捩じ込まれる第２ボスを備え、前記第２ボスは、前記ピン部を挟んで前記第１ボスとは反対側に配置され、前記軸方向から見て前記フランジ部に重なっていてもよい。
【０００９】
これによれば、スイッチピンを引いたときに、スイッチピンのフランジ部が、第１ネジの捩じ込みによって剛性が高められた第１ボスおよび第２ボスに係合するので、外装ケースの破損をより抑えることができる。また、２つのボスがピン部を挟み込むように配置されているので、２つのボスが並ぶ方向にスイッチピンがずれるのを各ボスで抑えることができる。
【００１０】
また、前記第１ケースには、前記スイッチピンを進退可能に支持するスイッチ部材が設けられ、前記第２ケースは、前記第１ケースに向けて突出する規制リブを有し、前記規制リブは、前記スイッチ部材の前記スイッチ穴とは反対側の端部に対して前記軸方向に対向していてもよい。
【００１１】
これによれば、スイッチピンを押し込む際に、スイッチ部材が軸方向にずれるのを規制リブで抑えることができる。
【００１２】
また、前記外装ケースは、外部に向けて開口する電池収容凹部と、当該電池収容凹部を開閉する電池カバーと、を備え、前記電池カバーは、前記電池収容凹部の開口を塞ぐベース部と、断面視Ｕ形状に形成されるバンドホルダと、を有し、前記バンドホルダは、前記ベース部の外面に沿った所定方向に延びる第１延出部と、当該第１延出部の各端部と前記ベース部とを繋ぐ２つの第２延出部と、を有し、前記第２延出部は、前記ベース部に近づくにつれて前記所定方向の大きさが大きくなっていてもよい。
【００１３】
これによれば、バンドホルダの第２延出部の所定方向の大きさがベース部に近づくにつれて大きくなっているので、ベース部の剛性を高くすることができる。
【００１４】
また、前記電池カバーは、前記ベース部の外周縁から外側に突出する複数の突出片を有し、前記複数の突出片は、第２ネジによって前記第１ケースまたは前記第２ケースに締結されていてもよい。
【００１５】
これによれば、電池カバーを、大型化することなく、第１ケースまたは第２ケースに締結することができる。
【００１６】
また、前記第２延出部の前記所定方向の一方側の第１端縁は、前記所定方向において、前記電池カバーの前記所定方向の一方側の第２端縁と、当該第２端縁に最も近い第２ネジとの間に配置され、前記所定方向において、前記第２端縁に最も近い第２ネジから前記第１端縁までの長さは、前記第２端縁に最も近い第２ネジから前記第２端縁までの長さの半分以上であってもよい。
【００１７】
４つの突出片を第２ネジで締結した場合には、電池カバーのベース部のうち、２つの第２ネジの間にある部分は、第２ネジの締結力により剛性が高いが、第２ネジよりも所定方向の外側の部分は、剛性が低い。これに対し、電池カバーの第２端縁から当該第２端縁に最も近い第２ネジまでの部分の半分以上の範囲にわたって第２延出部を形成することで、電池カバーのうち第２ネジよりも所定方向の外側の部分の剛性を高くすることができる。
【００１８】
また、前記電池収容凹部を囲うように形成されるとともに、前記電池カバーによって覆われる溝と、当該溝内に入るシールとを備える場合には、前記シールの高さを幅よりも大きくし、高さと幅の比を、１．２〜１．７としてもよい。
【００１９】
これによれば、シールを高さ方向で潰したときの幅方向の変形量が大きくなるので、シールを溝の側面に密着させることができる。
【００２０】
また、前記シールの高さは、前記溝の深さよりも大きくしてもよい。
【００２１】
これによれば、シールの高さが溝の深さよりも大きいことで、電池カバーを取り付けた際に、電池カバーによってシールを押し潰しやすくなるので、シールを溝に密着させることができる。
【００２２】
また、前記シールの幅は、前記溝の幅の６０％〜８０％であってもよい。
【００２３】
これによれば、シールを溝に取り付ける作業を容易に行うことができる。また、密閉性・防水性を向上することができる。
【００２４】
また、前記外装ケースおよび前記電池収容凹部は、前記軸方向の長さが、前記軸方向に直交する直交方向の長さよりも大きくてもよい。
【００２５】
これによれば、電池収容凹部の大きさを外装ケースの大きさに合わせて大きくすることができるので、例えば単四電池などの大きな電池を使用することができる。
【００２６】
また、前記警報音を発するスピーカを備え、前記第１ケースおよび前記第２ケースの一方に前記スピーカが設けられ、他方に前記電池収容凹部が設けられていてもよい。
【００２７】
これによれば、第１ケースの剛性をスピーカによって高くすることができ、第２ケースの剛性を電池収容凹部や当該電池収容凹部に収容される電池によって高くすることができる。
【００２８】
また、前記外装ケースは、前記スピーカを保持する円筒状の保持リブと、当該保持リブの外周面から放射状に延びる複数の補強リブと、を有していてもよい。
【００２９】
これによれば、補強リブによって補強された保持リブで、スピーカを良好に保持することができる。
【００３０】
また、前記外装ケースは、外表面のうち前記軸方向の一端側に位置する曲面と、当該曲面から前記軸方向の一端側に突出する中空の突出部と、を有し、前記突出部は、先端に前記スイッチ穴を有し、前記突出部の先端は、前記外装ケースの前記軸方向の一端に対して前記軸方向に直交する直交方向にずれた位置に配置され、前記外装ケースの前記一端よりも前記軸方向内側に位置していてもよい。
【００３１】
これによれば、突出部の先端から突出するスイッチピンのヘッド部が外装ケースの軸方向の一端から軸方向外側に突出する量を小さくすることができるので、携帯用防犯ブザーを落としたときに地面にヘッド部が直接当たってスイッチ部材に強い力がかかる可能性を低くすることができる。
【発明の効果】
【００３２】
本発明によれば、スイッチピンが引き抜き不能な携帯用防犯ブザーにおいて、外装ケースの破損を抑えることができる。
【図面の簡単な説明】
【００３３】
【図１】本実施形態に係る携帯用防犯ブザーを示す斜視図である。
【図２】第１ケース、スイッチピン、回路基板などを分解して示す斜視図である。
【図３】第２ケース、乾電池、電池カバーなどを分解して示す斜視図である。
【図４】第２ケースを内側から見た斜視図である。
【図５】スイッチピンが第１位置に位置する状態を示す平面図（ａ）と、第２位置に位置する状態を示す平面図（ｂ）である。
【図６】電池カバーを左右方向から見た側面図である。
【図７】電池収容凹部周りの溝と第２シールの関係を示す断面図であり、電池カバーを第２ケースに取り付ける前の状態を示す図（ａ）と、取付後の状態を示す図（ｂ）である。
【発明を実施するための形態】
【００３４】
次に、本発明の実施形態について、適宜図面を参照しながら詳細に説明する。
図１に示すように、携帯用防犯ブザー１は、ブザー本体１０とスイッチピン２０とを備えて構成されている。スイッチピン２０は、警報音の発生または停止の切り替えを行うためのプッシュプル方式のスイッチを構成する金属製の部材であり、ブザー本体１０に対して軸方向に押し引き可能となっている。スイッチピン２０は、図１に示す第１位置と、当該第１位置よりも外側に引き出された第２位置とに移動可能となっている。ブザー本体１０は、スイッチピン２０が第２位置に引き出されることで、スイッチが入って警報音を発生し、スイッチピン２０が第１位置に押し込まれることで、スイッチが切れて警報音を停止するように構成されている。
【００３５】
ブザー本体１０には、ブザー本体１０を鞄などから吊り下げるために第１ストラップ９１が取り付けられている。また、ブザー本体１０には、ブザー本体１０をランドセルのベルトなど、ある程度太い部材に取り付けるため、端部同士で互いに結合可能なバンド９３が設けられている。バンド９３の両端部には、面ファスナ９３ａ，９３ｂが縫製などにより設けられている。
【００３６】
ブザー本体１０は、樹脂などからなる外装ケースＣと、外装ケースＣ内に収容された警報装置３０（図２）とを備えている。外装ケースＣは、全体として略卵形であり、長手方向の一端側に前述したスイッチピン２０が設けられ、他端側に前述した第１ストラップ９１が取り付けられている。
【００３７】
外装ケースＣの外表面のうち長手方向の一端側に位置する曲面Ｃ１には、当該曲面Ｃ１から長手方向の一端側に突出する中空の突出部Ｃ２が形成されている。突出部Ｃ２は、円筒状の外周壁Ｃ２１と、外周壁Ｃ２１の一端側の開口を塞ぐ先端壁Ｃ２２とを有しており、外周壁Ｃ２１内の空間は、外装ケースＣ内に繋がっている。
【００３８】
突出部Ｃ２の先端壁Ｃ２２は、外装ケースＣの長手方向の一端Ｃ３に対して長手方向に直交する直交方向（詳しくは、後述する左右方向）にずれた位置に配置され、外装ケースＣの一端Ｃ３よりも長手方向内側に位置している。突出部Ｃ２の先端壁Ｃ２２には、スイッチピン２０が入り込むスイッチ穴Ｃ４（図２参照）が形成されている。
【００３９】
外装ケースＣは、第１ケース１００と、当該第１ケース１００に固定される第２ケース２００とを備えている。第１ケース１００の長手方向の中央には、外装ケースＣ内で発生した警報音を外部に導くための環状の通路Ｐが形成されている。
【００４０】
なお、以下の説明では、便宜上、外装ケースＣの長手方向を「上下方向」とも称し、長手方向のうち第１ストラップ９１が配置される側を「上側」、スイッチピン２０が配置される側を「下側」とも称する。また、第１ケース１００と第２ケース２００が対向する方向を「前後方向」とも称し、前後方向のうち第１ケース１００側を「前側」、第２ケース２００側を「後側」とも称する。また、上下方向および前後方向に直交する方向を「左右方向」とも称する。
【００４１】
図２および図３は、分解した携帯用防犯ブザー１を後側から見た斜視図である。
図２および図３に示すように、外装ケースＣは、前述した第１ケース１００および第２ケース２００の他に、電池カバー３００をさらに備えている。外装ケースＣ内に配置される警報装置３０は、警報音を発するための信号を出力する回路を備えた回路基板３１と、回路基板３１に電線３４を介して接続され、回路からの信号が入力されて警報音を発するスピーカ３３と、スイッチを構成するスイッチ部材１３と、を備えてなる。警報装置３０には、単四形の乾電池３２から図示せぬ電線等を介して電力が供給されている。
【００４２】
スイッチ部材１３は、スイッチピン２０を軸方向に進退可能に支持する筒状の部材であり、一方側（下側）からスイッチピン２０が挿入可能となっている。スイッチ部材１３は、半田付けなどにより回路基板３１上に固定されている。
【００４３】
回路基板３１には、回路基板３１をネジ９８で第１ケース１００に固定するための４つの小孔３１ａが形成されている。第１ケース１００には、小孔３１ａの位置に対応して、ボス１３１が４つ形成されている。各ボス１３１の先端の位置は、前後方向において同じ位置に配置されている。ネジ９８を小孔３１ａに通して第１ケース１００のボス１３１に捩じ込むことで、回路基板３１が第１ケース１００に固定されている。なお、回路基板３１を第１ケース１００に固定するためのネジ９８やボス１３１等は、１つでもよいし、３つ以上でもよい。
【００４４】
スイッチピン２０は、外装ケースＣのスイッチ穴Ｃ４に入り込む円柱状のピン部２１と、ピン部２１の一端部、詳しくは下側の端部に設けられた円柱状のヘッド部２２と、ピン部２１の他端部、詳しくは上側の端部に設けられた円板状のフランジ部２３と、フランジ部２３の上側の面から突出する円柱状の差込ピン部２４とを有している。ピン部２１は、スイッチ穴Ｃ４の長さ（貫通方向の大きさ）よりも長くなっており、下側の端部が外装ケースＣの外面よりも外側に配置され、上側の端部が外装ケースＣの内面よりも内側に配置されている。
【００４５】
ヘッド部２２は、ピン部２１、詳しくはスイッチ穴Ｃ４よりも大径となっており、ピン部２１をスイッチ穴Ｃ４に取り付けた状態において、外装ケースＣの外側に配置されている。ヘッド部２２には径方向に貫通した穴２２ａが形成されており、穴２２ａには、図１に示すように、リング９５を介して第２ストラップ９４が取り付けられている。第２ストラップ９４は、携帯用防犯ブザー１のユーザが危険に遭遇したときに素早くスイッチピン２０を引っ張るために掴む部分として機能する。
【００４６】
図２に戻って、フランジ部２３は、ピン部２１よりも大径となっており、ピン部２１をスイッチ穴Ｃ４に取り付けた状態において、外装ケースＣ内に配置されている。差込ピン部２４は、フランジ部２３よりも小径であり、径の異なる複数の部分を有している。詳しくは、差込ピン部２４は、フランジ部２３側から順に、第１部分、当該第１部分よりも小径となる第２部分、当該第２部分よりも大径となる第３部分とを有している。差込ピン部２４は、スイッチ部材１３内に挿入されており、スイッチ部材１３内の図示せぬスイッチ機構に作用する。
【００４７】
詳しくは、スイッチ機構は、例えば、固定された第１端子と、当該第１端子に向けて付勢される板バネ状の第２端子とを備えた構成とすることができる。そして、スイッチピン２０が第１位置に押し込まれた状態であるときには、差込ピン部２４が板バネ状の第２端子をその付勢力に抗して第１端子から引き離した状態に維持することで、スイッチをＯＦＦ状態としている。また、スイッチピン２０が第１位置から第２位置に引っ張られたときに、差込ピン部２４が板バネ状の第２端子から離間する方向に移動することによって、第２端子が付勢力によって移動して第１端子に接触し、スイッチがＯＮ状態に切り替わる。
【００４８】
第１ケース１００は、外装ケースＣの前側部分（略半分）を構成する椀状の部材であり、主に、平面視略楕円形の本体部１１０と、前述した突出部Ｃ２の前側部分を構成する第１突出部１２０と、第２ケース２００を固定するため５本の第１ネジＳ１（図３参照）が捩じ込まれる第１ボス１１１、第２ボス１１２、第３ボス１１３、第４ボス１１４および第５ボス１１５とを有している。
【００４９】
第１ケース１００の開口端部１４０は、第２ケース２００との合わせ面となる端面１４１と、端面１４１から凹むように形成される溝１４２とを有している。溝１４２は、第１ケース１００の開口を囲うように形成されている。溝１４２のうち第１突出部１２０の先端に配置される部分は、左右方向に延びており、この部分に対して、スイッチ穴Ｃ４、詳しくはスイッチ穴Ｃ４の前側部分を構成する半円筒状の切欠Ｃ４１が上下方向に横切るように形成されている。溝１４２の深さは、半円筒状の切欠の深さよりも大きい。
【００５０】
図４に示すように、第２ケース２００の開口端部２４０は、第１ケース１００の開口端部１４０と略同様の構造となっている。詳しくは、第２ケース２００の開口端部２４０は、第１ケース１００との合わせ面となる端面２４１と、端面２４１から凹むように形成される溝２４２と、溝２４２に直交するように形成され、スイッチ穴Ｃ４の後側部分を構成する半円筒状の切欠Ｃ４２とを有している。
【００５１】
図２に戻って、各溝１４２，２４２（図４も参照）内には、ゴムなどからなる環状の第１シール４０が入り込んでいる。第１シール４０は、スイッチ穴Ｃ４に対応した円状シール部４１と、円状シール部４１の左側部分から延びて右側部分に繋がる連結シール部４２とを有している。円状シール部４１には、スイッチピン２０のピン部２１が挿入される。
【００５２】
また、ピン部２１には、ゴムなどからなるリング状の受圧部材５０が取り付けられている。図５（ａ）に示すように、受圧部材５０は、ピン部２１がスイッチ穴Ｃ４に取り付けられた状態において、外装ケースＣの外面とヘッド部２２との間に配置されている。これにより、スイッチピン２０を第２位置から第１位置へ押し込んだ際に、ヘッド部２２が外装ケースＣの外面に勢いよく当接するのを受圧部材５０によって抑えることが可能となっている。
【００５３】
なお、受圧部材５０の厚さは、スイッチピン２０が第１位置（図５（ａ）の位置）に位置するときにおいてフランジ部２３とスイッチ部材１３との間に若干の隙間が生じるような厚さに設定するとよい。このように設定した場合には、スイッチピン２０を第２位置から第１位置に押し込んだときに、フランジ部２３がスイッチ部材１３に干渉するのを抑えることができる。
【００５４】
図２に戻って、第１ボス１１１、第２ボス１１２、第３ボス１１３、第４ボス１１４および第５ボス１１５の先端は、回路基板３１の固定用の各ボス１３１の先端よりも後方に離れた位置に配置されている。第２ボス１１２、第３ボス１１３、第４ボス１１４および第５ボス１１５の先端は、前後方向において同じ位置、詳しくは第１ボス１１１の先端よりも後方の位置に配置されている。
【００５５】
第１ボス１１１は、第１ケース１００の右側下部、詳しくは第１突出部１２０内に設けられている。詳しくは、第１突出部１２０に形成された切欠Ｃ４１よりも右側に配置されている。第２ボス１１２は、第１ボス１１１に対して間隔を空けて左側に配置されている。詳しくは、ピン部２１がスイッチ穴Ｃ４に取り付けられた状態において、第２ボス１１２は、ピン部２１を挟んで第１ボス１１１とは反対側に配置されている（図５参照）。
【００５６】
第１ボス１１１と第２ボス１１２との間の間隔は、ピン部２１の直径以上で、かつ、フランジ部２３の直径未満となっている。そして、ピン部２１がスイッチ穴Ｃ４に取り付けられた状態において、第１ボス１１１および第２ボス１１２は、フランジ部２３とスイッチ穴Ｃ４との間に配置され、軸方向から見てフランジ部２３に重なっている（図５参照）。これにより、スイッチピン２０が外装ケースＣから引き抜き不能となっている。
【００５７】
第３ボス１１３は、第１ケース１００の左側下部に設けられている。第４ボス１１４は、第１ケース１００の右側上部に設けられている。第５ボス１１５は、第１ケース１００の左側上部に設けられている。
【００５８】
また、第１ケース１００は、スピーカ３３を保持する円筒状の保持リブ６１と、当該保持リブ６１の外周面から放射状に延びる４つの補強リブ６２と、を有している。保持リブ６１は、第１ケース１００の上下方向および左右方向における略中央部に配置され、第１ケース１００の内側の底部（前部）から後方に向けて突出している。各補強リブ６２は、第１ケースの底部と保持リブ６１とを繋ぎ、保持リブ６１の右側上部、左側上部、左側下部および右側下部から径方向外側に向けて延びている。各補強リブ６２は、保持リブ６１の周囲に９０°間隔で配置されている。
【００５９】
なお、スピーカ３３は、樹脂などからなる取付リング３５に接着され、取付リング３５が保持リブ６１に接合されることで、取付リング３５を介して保持リブ６１に保持されている。
【００６０】
図３に示すように、第２ケース２００は、外装ケースＣの後側部分（略半分）を構成する椀状の部材であり、主に、平面視略楕円形の本体部２１０と、前述した突出部Ｃ２の後側部分を構成する第２突出部２２０とを有している。
【００６１】
本体部２１０は、その後面２１１が前後方向に直交する平面となっている。後面２１１の中央部には、外部に向けて開口する平面視略矩形の電池収容凹部２１２が形成されている。電池収容凹部２１２は、単四形の乾電池３２を収容する凹部であり、外装ケースＣと同様に上下方向の長さが左右方向の長さよりも大きくなっている。言い換えると、外装ケースＣおよび電池収容凹部２１２は、スイッチピン２０の軸方向における長さが、軸方向に直交する直交方向の長さよりも大きくなっている。電池収容凹部２１２の長手方向の各端部には、乾電池３２のプラス端子またはマイナス端子に接触する金属製の部材が設けられている。
【００６２】
また、本体部２１０は、電池収容凹部２１２を囲うように形成されるとともに、電池カバー３００によって覆われる平面視略矩形の溝２１３を有している。溝２１３は、後面２１１よりも前側に一段下がった位置に形成されている。溝２１３内には、ゴムなどからなる環状の第２シール７０が入り込んでいる。図７（ａ）に示すように、第２シール７０は、断面視矩形に形成されており、その高さＨ１（溝２１３の深さ方向の大きさ）が、幅Ｗ１（溝２１３の幅方向の大きさ）よりも大きくなっている。なお、第２シール７０の高さＨ１と幅Ｗ１の比（Ｈ１／Ｗ１）は、１．２〜１．７であってもよいし、１．３〜１．６であってもよいし、１．４〜１．６であってもよい。
【００６３】
第２シール７０の高さＨ１は、溝２１３の深さＨ２以上、詳しくは深さＨ２よりも大きくなっている。なお、第２シール７０の高さＨ１は、例えば、溝２１３の深さＨ２の１００〜１２０％であってもよいし、１０５〜１１５％であってもよいし、１０７〜１１２％であってもよい。
【００６４】
また、第２シール７０の幅Ｗ１は、溝２１３の幅Ｗ２の６０〜８０％程度の大きさとなっている。なお、第２シール７０の幅Ｗ１は、溝２１３の幅Ｗ２の６５〜７５％であってもよいし、幅Ｗ２の６８〜７２％であってもよい。
【００６５】
なお、電池カバー３００は、第２ケース２００側の面３０１から第２ケース２００に向けて突出する突起３０２を有している。突起３０２は、平面視の形状が溝２１３と同様の形状、つまり略矩形となっており、その幅（溝２１３の幅方向の大きさ）が溝２１３の幅Ｗ２以下となっている。これにより、図７（ｂ）に示すように、電池カバー３００が第２ケース２００に取り付けられた状態においては、突起３０２が、溝２１３に入り込んで、第２シール７０を潰している。
【００６６】
図３に戻って、本体部２１０は、電池カバー３００を本体部２１０に固定するための４つの取付穴２１４と、第２ケース２００を第１ケース１００に固定するための５つの小孔２１５とを有している。各取付穴２１４は、環状の溝２１３の左側と右側にそれぞれ２つずつ配置されている。電池カバー３００には、取付穴２１４の位置に対応して、小孔３３１が４つ形成されている。第２ネジＳ２を各小孔３３１に通して各取付穴２１４に捩じ込むことで、電池カバー３００が第２ケース２００に固定されている。
【００６７】
５つのうち４つの小孔２１５は、後面２１１から前方に向けて凹む凹部の底壁に形成され、残りの１つの小孔２１５は、第２突出部２２０の後面から前方に向けて凹む凹部の底壁に形成されている。第１ネジＳ１を各小孔２１５に通して第１ケース１００の各ボス１１１〜１１５に捩じ込むことで、第２ケース２００が第１ケース１００に固定されている。
【００６８】
なお、ネジＳ１が捩じ込まれる各ボス１１１〜１１５の穴の開口端は、漏斗状に面取りされている。同様に、ボス１３１の穴の開口端や取付穴２１４の開口端も、漏斗状に面取りされている。これにより、ネジＳ１，Ｓ２，９８を捩じ込む際に発生する穴の縁の迫り上がりや切子が、ネジＳ１，Ｓ２，９８で固定する２つの部材の間に入って、２つの部材に隙間が生じるのを抑えることが可能となっている。
【００６９】
図４に示すように、第２ケース２００の内側には、本体部２１０の底面２１６から第１ケース１００に向けて突出する規制リブ２１７が設けられている。図５（ａ）に示すように、規制リブ２１７は、第１ケース１００と第２ケース２００を組み合わせた状態において、スイッチ部材１３のスイッチ穴Ｃ４とは反対側の端部１３ａに対して軸方向に対向している。詳しくは、規制リブ２１７は、スイッチ部材１３の端部１３ａに近接している。なお、規制リブ２１７は、第１ケース１００と第２ケース２００を組み合わせた状態において、スイッチ部材１３の端部１３ａに接触していてもよいし、端部１３ａから僅かに離間していてもよい。
【００７０】
電池カバー３００は、電池収容凹部２１２を開閉するカバーであり、電池収容凹部２１２の開口を塞ぐベース部３１０と、断面視Ｕ形状に形成される２つのバンドホルダ３２０と、４つの突出片３３０と、を有している。ベース部３１０は、平面視矩形の板状の部位であり、その外周縁が、平面視矩形の溝２１３の外周縁と一致する位置、もしくは、溝２１３の外周縁よりも外側に配置されている。ベース部３１０の上側の端縁３１１と下側の端縁３１２は、左右方向に沿って形成され、左側の端縁３１３と右側の端縁３１４は、上下方向に沿って形成されている。
【００７１】
突出片３３０は、ベース部３１０の左側と右側に２つずつ設けられている。左側の各突出片３３０は、ベース部３１０の左側の端縁３１３から外側に突出し、上下方向において互いに間隔を空けて配置されている。また、左側の各突出片３３０は、ベース部３１０の上側の端縁３１１および下側の端縁３１２から上下方向に離れた位置に配置されている。なお、右側の各突出片３３０は、左側の各突出片３３０と左右対称な構造であるため、説明は省略する。
【００７２】
４つの突出片３３０には、第２ネジＳ２を通すための小孔３３１がそれぞれ形成されている。４つの突出片３３０は、第２ネジＳ２によって第２ケース２００に締結されている。なお、本実施形態では、上下方向において並ぶ２つの小孔３３１のピッチが、上側の小孔３３１からベース部３１０の上側の端縁３１１までの距離および下側の小孔３３１からベース部３１０の下側の端縁３１２までの距離と略同じ大きさとなっている。
【００７３】
各バンドホルダ３２０は、左右方向に離れて配置されている。バンドホルダ３２０は、ベース部３１０の外面に沿った所定方向、詳しくは上下方向に延びる第１延出部３２１と、当該第１延出部３２１の各端部とベース部３１０とを繋ぐ２つの第２延出部３２２と、を有している。
【００７４】
図６に示すように、第２延出部３２２は、第１延出部３２１からベース部３１０に近づくにつれて上下方向の大きさが徐々に大きくなっている。上側の第２延出部３２２の上側の端縁３２２ａは、上下方向において、ベース部３１０（電池カバー３００）の上側の端縁３１１と、当該端縁３１１に最も近い上側の第２ネジＳ２（以下、「上側ネジＳ２１」とも称する。）との間に配置されている。そして、上下方向において、上側ネジＳ２１から第２延出部３２２の上側の端縁３２２ａまでの長さＬ２は、上側ネジＳ２１からベース部３１０の上側の端縁３１１までの長さＬ１の半分以上の大きさとなっている。なお、この説明においては、上側の第２延出部３２２の上側の端縁３２２ａが、「第２延出部の所定方向の一方側の第１端縁」に相当し、ベース部３１０の上側の端縁３１１が、「電池カバーの所定方向の一方側の第２端縁」に相当し、上側ネジＳ２１が、「第２端縁に最も近い第２ネジ」に相当する。
【００７５】
なお、電池カバー３００は、上下方向の中央を通る左右方向に沿った線に対して線対称な構造となっている。そのため、下側の第２延出部３２２の下側の端縁３２２ｂと、ベース部３１０の下側の端縁３１２と、下側の第２ネジＳ２（以下、「下側ネジＳ２２」とも称する。）との関係は、上側の構造と同じ関係となっている。なお、下側の構造においては、下側の第２延出部３２２の下側の端縁３２２ｂが、「第２延出部の所定方向の一方側の第１端縁」に相当し、ベース部３１０の下側の端縁３１２が、「電池カバーの所定方向の一方側の第２端縁」に相当し、下側ネジＳ２２が、「第２端縁に最も近い第２ネジ」に相当する。
【００７６】
次に、携帯用防犯ブザー１の操作時における作用効果について説明する。
図５（ａ），（ｂ）の順で示すように、危険を察知したユーザが、警報音を鳴らすべく、スイッチピン２０を第１位置から第２位置に強く引っ張ると、スイッチピン２０は、そのフランジ部２３が第１ボス１１１および第２ボス１１２に当接することで、引張方向への移動が止められる。この際、第１ボス１１１および第２ボス１１２は、第１ネジＳ１が中心部分に捩じ込まれることで、剛性が高められているため、金属製のフランジ部２３が勢いよく当接しても、破損することなく衝撃を受け止めることができる。そのため、本実施形態に係る携帯用防犯ブザー１によれば、ユーザがスイッチピン２０を強く引っ張ったとしても外装ケースＣの破損を抑えることができる。
【００７７】
図５（ｂ），（ａ）の順で示すように、ユーザがスイッチピン２０を第２位置から第１位置に押し込むと、警報音が止まる。この際、ユーザがスイッチピン２０を強く押し込んだ場合であっても、スイッチピン２０から外装ケースＣに加わる衝撃力が受圧部材５０によって吸収されるので、外装ケースＣの破損を抑えることができる。また、第１位置においてフランジ部２３とスイッチ部材１３との間に隙間が空いているので、フランジ部２３がスイッチ部材１３に干渉してスイッチ部材１３が破損することも抑えることができる。
【００７８】
さらに、スイッチピン２０の差込ピン部２４がスイッチ部材１３の内部の部品等に接触しながら移動することでスイッチ部材１３が上方に押された場合であっても、スイッチ部材１３の上方への移動が、規制リブ２１７で規制される。これにより、スイッチ部材１３の移動によって、スイッチ部材１３と回路基板３１との接合部分が破損するのを抑えることができる。
【００７９】
以上、本実施形態によれば、前述した効果に加え、以下のような効果を得ることができる。
第１ボス１１１と第２ボス１１２がピン部２１を挟み込むように配置されているので、２つのボス１１１，１１２が並ぶ方向にスイッチピン２０がずれるのを各ボス１１１，１１２で抑えることができる。
【００８０】
図３に示すように、第２ネジＳ２によって第２ケース２００に締結される突出片３３０が、ベース部３１０の外周縁から外側に突出しているので、例えば、突出部を設けずに、ベース部を本実施形態よりも幅広に形成してベース部の左右の端部を締結する構造に比べ、電池カバー３００の大型化を抑えることができる。
【００８１】
外装ケースＣおよび電池収容凹部２１２を、ともに上下方向の長さが左右方向の長さよりも大きくなるように構成することで、電池収容凹部２１２の大きさを外装ケースＣの大きさに合わせて大きくすることができるので、外装ケースＣを大型化することなく、単四形の乾電池３２のような大きな電池を使用することができる。
【００８２】
図６に示すように、バンドホルダ３２０の第２延出部３２２の上下方向の大きさがベース部３１０に近づくにつれて大きくなっているので、上下方向に長いベース部３１０の剛性を高くすることができる。
【００８３】
上下方向において、上側ネジＳ２１から第２延出部３２２の上側の端縁３２２ａまでの長さＬ２を、上側ネジＳ２１からベース部３１０の上側の端縁３１１までの長さＬ１の半分以上の大きさとしたので、ベース部３１０のうち第２ネジＳ２の締結力が及びにくい上端側の部分の剛性を第２延出部３２２によって高めて、この上端側の部分に締結力を働かせることができる。そのため、電池カバー３００を第２ネジＳ２で第２ケース２００に締結した際には、電池カバー３００の上端側の部分で良好に第２シール７０を押圧することができるので、シール性を高めて防水性を向上させることができる。なお、電池カバー３００の下端側の部分も同様の構成であるため、同様の効果を得ることができる。
【００８４】
図７（ａ），（ｂ）に示すように、第２シール７０の高さＨ１を幅Ｗ１よりも大きくし、高さＨ１と幅Ｗ１の比を１，２〜１．７とすることで、第２シール７０を高さ方向で潰したときの幅方向の変形量が大きくなるので、第２シール７０を溝２１３の側面に密着させることができる。
【００８５】
第２シール７０の高さＨ１を溝２１３の深さＨ２よりも大きくすることで、電池カバー３００を第２ケース２００に取り付けた際に、電池カバー３００の突起３０２によって第２シール７０が押し潰される。これにより、第２シール７０が溝２１３の幅方向に広がるので、第２シール７０を溝２１３の各側面に密着させて、シール性を高めることができる。
【００８６】
第２シール７０の幅Ｗ１が溝２１３の幅Ｗ２の６０％〜８０％であるため、第２シール７０を溝２１３に取り付ける作業を容易に行うことができる。また、幅Ｗ１の下限値を幅Ｗ２の６０％とすることで、密閉性・防水性を向上することができる。
【００８７】
図２および図３に示すように、第１ケース１００にスピーカ３３を設け、第２ケース２００に電池収容凹部２１２を設けたので、第１ケース１００の剛性をスピーカ３３によって高くすることができ、第２ケース２００の剛性を電池収容凹部２１２や当該電池収容凹部２１２に収容される乾電池３２によって高くすることができる。
【００８８】
スピーカ３３を保持する円筒状の保持リブ６１の外周面に、放射状に延びる４つの補強リブ６２を設けたので、補強リブ６２によって補強された保持リブ６１で、スピーカ３３を良好に保持することができる。
【００８９】
突出部Ｃ２内に第１ボス１１１を設けたので、第１ネジＳ１の捩じ込みによって剛性が高められた第１ボス１１１によって、突出部Ｃ２の剛性を高くすることができる。
【００９０】
第１ケース１００と第２ケース２００を５つの第１ネジＳ１で固定したので、第１ケース１００と第２ケース２００との結合力を高めることができる。
【００９１】
図１に示すように、突出部Ｃ２の先端壁Ｃ２２を、外装ケースＣの上下方向の一端Ｃ３に対して左右方向にずれた位置であって、かつ、外装ケースＣの一端Ｃ３よりも上下方向内側の位置に配置することで、突出部Ｃ２の先端から突出するスイッチピン２０のヘッド部２２が外装ケースＣの一端Ｃ３から上下方向外側に突出する量を小さくすることができる。そのため、携帯用防犯ブザー１を落としたときに地面にスイッチピン２０のヘッド部２２が直接当たってスイッチ部材１３に強い力がかかる可能性を低くすることができる。
【００９２】
なお、本発明は前記実施形態に限定されることなく、以下に例示するように様々な形態で利用できる。
第１ケースに設ける部位や部材または第２ケースに設ける部位や部材は、前記実施形態に限定されず、第１ケースおよび第２ケースのどちらに設けてもよいし、その位置や数は、適宜変更可能である。例えば、第１ボスおよび第２ボスを第２ケースに設けてもよい。また、第１ネジおよび第２ネジの数は、いくつであってもよい。また、電池収容凹部を第１ケースに設け、スピーカを第２ケースに設けてもよい。なお、電池収容凹部を第１ケースに設けた場合には、電池カバーの複数の突出片を、第１ケースに第２ネジで締結すればよい。
【００９３】
前記実施形態では、２つのボス１１１，１１２によってスイッチピン２０の移動を規制したが、本発明はこれに限定されず、１つの第１ボスのみによってスイッチピンの移動を規制してもよい。
【００９４】
前記実施形態では、突出部Ｃ２を外装ケースＣの一端Ｃ３に対して左右方向にずらしたが、本発明はこれに限定されず、突出部は軸方向に直交する直交方向であれば、外装ケースの一端に対してどの方向にずらしてもよい。
【００９５】
また、前記した実施形態および変形例で説明した各要素を、任意に組み合わせて実施してもよい。
【符号の説明】
【００９６】
１      携帯用防犯ブザー
２０    スイッチピン
２１    ピン部
２２    ヘッド部
２３    フランジ部
１００  第１ケース
１１１  第１ボス
２００  第２ケース
Ｃ      外装ケース
Ｃ４    スイッチ穴
Ｓ１    第１ネジ
【図１】
2018073086.tif 000003
【図２】
2018073086.tif 000004
【図３】
2018073086.tif 000005
【図４】
2018073086.tif 000006
【図５】
2018073086.tif 000007
【図６】
2018073086.tif 000008
【図７】
2018073086.tif 000009